(57)【要約】【課題】  不織布等の紙葉片を積層した状態で最上位の紙葉片を利用することができ、当該紙葉片を捲り取ったときに、下位の紙葉片を表出させて順次利用可能とすること。【解決手段】  多数枚の不織布Ｓが積層された状態でベース１２に支持されている。ベース１２は、容器本体１５内に着脱自在に設けられているとともに、蓋体１６によりカバー可能に設けられている。不織布Ｓの面内には切り込み７３が形成されており、この切り込み７３の内側を摘んで捲り取ることにより、当該不織布Ｓの下に位置する次の不織布Ｓを表出させることができる。【選択図】          図１
2006095124.tif 000002
【特許請求の範囲】
【請求項１】
多数枚の紙葉片を積層状態で保持するベースを含む紙葉片保持具であって、前記紙葉片の面内に、当該紙葉片を一枚ずつ捲り取り可能とする捲り取り促進部が形成されていることを特徴とする紙葉片保持具。
【請求項２】
多数枚の紙葉片をベース上に積層するとともに、当該紙葉片の両端側を前記ベースの裏面側に位置させた状態で前記紙葉片を保持する紙葉片保持具であって、前記紙葉片の面内に、当該紙葉片を一枚ずつ捲り取り可能とする捲り取り促進部が形成されていることを特徴とする紙葉片保持具。
【請求項３】
積層された多数枚の紙葉片を支持するベースと、前記紙葉片の両端側を前記ベースの裏面側に巻き込んで保持する保持手段とを備えた紙葉片保持具であって、前記紙葉片の面内に、当該紙葉片を一枚ずつ捲り取り可能とする捲り取り促進部が形成されていることを特徴とする紙葉片保持具。
【請求項４】
前記捲り取り促進部は、前記紙葉片の面内に形成された切り込み又はミシン目により構成されていることを特徴とする請求項１，２又は３記載の紙葉片保持具。
【請求項５】
前記切り込みは裏面側に位置する紙葉片の切り込みと位置ずれしていることを特徴とする請求項４記載の紙葉片保持具。
【請求項６】
前記紙葉片の両端側には、前記紙葉片を捲り取ったときに当該紙葉片の両端側領域をベース側に残す切り取り線が形成されていることを特徴とする請求項１，２，３，４又は５記載の紙葉片保持具。
【請求項７】
前記紙葉片は、拭き取り用紙若しくは布であることを特徴とする請求項１ないし６の何れかに記載の紙葉片保持具。
【請求項８】
前記ベースを着脱自在に収容する容器を更に含み、当該容器は、前記ベースを収容する容器本体と、この容器本体に連なる蓋体とからなり、当該蓋体を開いたときに最上位にある紙葉片を表出させることを特徴とする請求項１ないし７の何れかに記載の紙葉片保持具。
【発明の詳細な説明】
【技術分野】
【０００１】
本発明は、紙葉片保持具に係り、特に、携帯電話等のディスプレイ面を拭き取ることに適したクリーニング用の不織布若しくは用紙等の紙葉片を積層状態で保持することができ、最上位の紙葉片が汚れたときに、これを一枚捲り取った後に、次に表れる下位の紙葉片を表出させて順次利用することができる紙葉片保持具に関する。
【背景技術】
【０００２】
携帯電話が普遍的且つ飛躍的に普及した現在において、携帯電話に各種のストラップを備え付けている利用者が多い現状が見られる。このストラップは、先端側に装飾的な小物類を取り付けたものが一般的であるが、これらの小物類には、携帯電話のディスプレイ面を拭き取ることのできるシート状の繊維が備えられたものが存在する。
しかしながら、このような繊維によるディスプレイ面の拭き取りは、それが反復継続的に行われることにより、汚損してしまうことが不可避であり、拭き取り効果が次第に薄れてしまう、という不都合がある。
【０００３】
従って、ディスプレイ等を拭き取ることのできる繊維等の紙葉片は、それが交換できるようにすることが好ましい。このように、交換可能な状態で紙葉片を利用可能とする場合には、例えば、特許文献１に記載されるケース等を用いることが考えられる。
【０００４】
【特許文献１】特開２００３−３２５４２９号公報
【発明の開示】
【発明が解決しようとする課題】
【０００５】
しかしながら、特許文献１に開示された構成にあっては、複数枚のシートを扁平なケース内に収納し、当該シートをケースと共にリングで束ねる構成とされている。従って、所要の拭き取りを行うべくケースからシートを一枚引き抜いて取り出した場合には、当該シートをケース内に戻して保存することができない。この場合、シートによる拭き取り効果が維持できる場合であっても、廃棄しなければならないため、シートを無駄に消費してしまう、という不都合を招来する。
【０００６】
［発明の目的］
本発明は、このような不都合に着目して案出されたものであり、その目的は、紙葉片を積層した状態で最上位の紙葉片を利用することができるとともに、不要となった最上位の紙葉片を廃棄するときに、これを捲り取ることで、次に表れる下位の紙葉片を表出させて順次利用することのできる紙葉片保持具を提供することにある。
【課題を解決するための手段】
【０００７】
前記目的を達成するため、本発明は、多数枚の紙葉片を積層状態で保持するベースを含む紙葉片保持具であって、前記紙葉片の面内に、当該紙葉片を一枚ずつ捲り取り可能とする捲り取り促進部が形成される、という構成を採っている。
【０００８】
また、本発明は、多数枚の紙葉片をベース上に積層するとともに、当該紙葉片の両端側を前記ベースの裏面側に位置させた状態で前記紙葉片を保持する紙葉片保持具であって、前記紙葉片の面内に、当該紙葉片を一枚ずつ捲り取り可能とする捲り取り促進部が形成される、という構成を採ることができる。
【０００９】
更に、本発明は、積層された多数枚の紙葉片を支持するベースと、前記紙葉片の両端側を前記ベースの裏面側に巻き込んで保持する保持手段とを備えた紙葉片保持具であって、前記紙葉片の面内に、当該紙葉片を一枚ずつ捲り取り可能とする捲り取り促進部が形成される、という構成を採ることが好ましい。
【００１０】
本発明において、前記捲り取り促進部は、前記紙葉片の面内に形成された切り込み又はミシン目により構成することができる。この際、切り込みは裏面側に位置する紙葉片の切り込みと位置ずれ状態に設けてもよい。
【００１１】
また、前記紙葉片の両端側に、前記紙葉片を捲り取ったときに当該紙葉片の両端側領域をベース側に残す切り取り線を形成することが好ましい。
【００１２】
更に、前記紙葉片として、拭き取り用紙若しくは布を採用することができる。
【００１３】
また、本発明は、前記ベースを着脱自在に収容する容器を更に含み、当該容器は、前記ベースを収容する容器本体と、この容器本体に連なる蓋体とからなり、当該蓋体を開いたときに最上位にある紙葉片を表出させる、という構成を採ることが好ましい。
【発明の効果】
【００１４】
本発明によれば、多数枚の紙葉片がベースに積層されているため、例えば、紙葉片が携帯電話のディスプレイ面を拭き取る布片若しくは用紙である場合には、最上位に位置する紙葉片をディスプレイ面に押し当てた状態で拭き取りを行うことができる。この拭き取りは、紙葉片による拭き取り効果が発揮できる限り、そのままベースに支持させた状態を保ち得ることになり、拭き取り効果が減退若しくは消失したときに、捲り取り促進部を利用して紙葉片を捲り取り、下位に位置する用紙を表出させればよい。従って、拭き取り効果が維持されて使用価値が残されている限り、無駄を生ずることなく利用可能な経済性を付与することができる。
【００１５】
また、紙葉片は、ベースの裏面側に巻き込まれる状態で保持されるため、紙葉片を弛みなく保持することができるとともに、拭き取りに際して面方向に滑らせたときに、紙葉片がベースから脱落してしまうような不都合も生じない。
【００１６】
更に、捲り取り促進部は切り込みにより構成されるため、当該切り込みが形成された部分を指先で摘み易くなる。また、切り込みは、適宜なカッター刃を用いて極めて容易に形成することができる。
【００１７】
また、捲り取り促進部を構成する切り込みが積層厚み方向において各紙葉片毎に位置ずれした構成によれば、一枚ずつの捲りを一層確実なものとし、複数枚を捲りとってしまう虞を効果的に回避することができる。
【００１８】
更に、紙葉片の両端側に切り取り部が設けられた場合には、定型的な形状で捲り取りを行うことができるようになり、切り取りによりベース側に残される紙葉片の一部領域の端縁が不揃いになって外観上の体裁を損ねてしまう不都合を防止することができる。
【００１９】
更に、ベースを容器に収容する構成とすることで、紙葉片の携帯性を付与することができる他、不使用時に紙葉片の面をカバーすることができるようになり、紙葉片が不用意に捲れてしまったり、汚損したりする虞も回避可能となる。
【発明を実施するための最良の形態】
【００２０】
以下、本発明の好ましい実施形態を図面を参照しながら説明する。
【００２１】
図１には、本実施形態に係る紙葉片保持具の使用時における正面図が示され、図２には、その左側面図が示されている。これらの図において、紙葉片保持具１０は、容器１１と、当該容器１１に着脱自在に収納されるとともに紙葉片としての不織布Ｓを積層状態で保持するベース１２とを備え、この不織布Ｓを用いて図示しない携帯電話のディスプレイ面等の汚れの拭き取りが行えるようになっている。この紙葉片保持具１０は、特に限定されるものではないが、本実施形態では、容器１１を閉じたときの平面サイズが、約３０ｍｍ×５０ｍｍ程度とされ、また、厚みは約１０ｍｍ程度とされ、手の平の中央部にコンパクトなサイズで乗る程度の大きさとなっている。しかし、拭き取りの対象によっては、前記サイズはこの限りでない。
【００２２】
前記容器１１は、前記ベース１２を収容する容器本体１５と、この容器本体１５に連なる蓋体１６とからなり、当該蓋体１６を開いたときに最上位にある不織布Ｓを表出させる一方、蓋体１６を閉塞したときに（図３参照）、ベース１２及び不織布Ｓを全体的にカバーするように構成されている。容器本体１５は、図１及び４から理解されるように、平面視略方形に近似した底壁２０と、この底壁２０の外縁から立ち上がる周壁２１とを備えた有底皿状に設けられている。底壁２０の外面側略中央部には、緩やかな曲面形状をなす凹状部２０Ａが形成されており、当該凹状部２０Ａに指先を当てて前記不織布Ｓを前記ディスプレイ面等に押圧して当該面上を滑らすことができるようになっている。また、底壁２０の内面側中央部には、起立高さが低い保持筒２０Ｂが形成され、当該保持筒２０Ｂを利用して前記ベース１２が支持される。
【００２３】
前記周壁２１は、図１及び図４に示されるように、外面側が波形に設けられた上壁２４と、反対側に位置する下壁２５と、左右一対の側壁２６，２６とを含む。上壁２４の略中央部には、前記蓋体１６の自由端側内面部分にクリック動作をもって嵌合する突片２８が形成されている一方、下壁２５の中央部には当該下壁２５に沿う状態で略Ｃ字状の軸受部３０が突出して形成されている。この軸受部３０の図４中下端中央部には突出部３０Ａが形成されている。また、側壁２６，２６の略中央部は、凹状の切欠部３２，３２がそれぞれ形成されている（図２参照）。
【００２４】
前記蓋体１６は、閉塞したときに前記容器本体１５の上壁２４よりも上方に若干突出する大きさを備えた蓋面部３５と、この蓋面部３５の周縁から立ち上がる蓋周壁３６と、蓋面部３５の図４中下端に連なる延長面部３７とからなる。蓋周壁３６において、前記容器本体１５との連結側、すなわち、図１中上部側には左右一対の軸支持部３８，３８が連設されており、これら軸支持部３８，３８間に軸４０が配置されている。この軸４０は、容器本体１５の略Ｃ字状の軸受部３０内に脱落不能に受容され、これにより、蓋体１６が、前記延長面部３７側を自由端として回転可能となっている。更に、軸支持部３８，３８間には、前記周壁３６と切り離された起立片部４１が形成されており、当該起立片部４１の外面側に前記軸受部３０の下端中央部に形成された突出部３０Ａが係り合うことで、容器本体１５と蓋体１６との開放最大位置が規制されるようになっている（図４参照）。また、蓋周壁３６の図４中下部内周面部分には、突起４２が形成されており、当該突起４２が容器本体１５の突片２８の先端に係り合うように構成されている。なお、延長面部３７の略中央部には当該延長面部３７の面内を貫通する穴４３が形成され、この穴４３にストラップを挿入することができるように設けられている。
【００２５】
前記ベース１２は、図５ないし図１０に示されるように、平面視略方形をなし、不織布Ｓを支持した状態で、前記容器本体１５内に着脱自在に収まる大きさに設けられている。このベース１２は、略方形の支持面部５０と、当該支持面部５０の図７中上縁及び下縁に連なる上下一対の上面部５１及び下面部５２と、支持面部５０の左縁及び右縁に連なる左右一対の側面部５３とを含む。
【００２６】
前記支持面部５０の下面（図７中左側面）中央部には、脚筒５６が一体に形成されており、当該脚筒５６の先端は、容器本体１５の保持筒２０Ｂ内に嵌合可能に設けられている。なお、支持面部５０の上下両側に形成された細長いスロット穴５０Ａは成形時の型抜きの便宜のために設けられたものである。
【００２７】
前記上面部５１と下面部５２の先端中央領域は、板厚若しくは肉厚が幾分厚く設けられた領域を含み、これにより、容器本体１５の底壁２０に対して、ベース１２が安定して着座するように設けられている。
【００２８】
前記側面部５３，５３には、図１０に示されるように、平面部５７，５７を介して外側に突出する指掛け部５８，５８が一体に設けられており、これら指掛け部５８，５８を指先で摘んでベース１２を容器本体１５に着脱でき、これにより、不織布Ｓを指先で汚すことがないように設けられている。これらの指掛け部５８，５８は、その基部側に平面視略コ字状のスロット状をなす変形代５９，５９が形成され、当該変形代５９，５９の存在により、指掛け部５８，５８を相互に接近させる方向に僅かな撓み変形が行えるように設けられている。
【００２９】
また、前記指掛け部５８，５８の中央部には、平面部５７から垂下する方向に突出するフック片６０，６０が一体に設けられ、当該フック片６０，６０の先端側外面に形成された爪部６０Ａ，６０Ａは、容器本体１５の周壁内面部分に係り合い可能とされ、この係り合いと、前記脚筒５６と保持筒２０Ｂとの嵌合とにより、容器本体１５内にベース１２が収容されたときに、当該ベース１２の不用意なる脱落が防止される。
【００３０】
前記不織布Ｓは、図１１に示されるように、中央部の左右両側が外側に若干膨らんだ湾曲縁に設けられた中央領域Ｓ１と、同図中上下両端側に、ミシン目状の切り取り線７０，７１を介して連なる略方形の第１及び第２の固定領域Ｓ２，Ｓ３とを備えて構成されている。中央領域Ｓ１の面内において、図１１中上部側の切り取り線７０の近傍には、捲り取り促進部を構成する略Ｖ字状の切り込み７３が形成されている。この切り込み７３は、本実施形態では、Ｖ字の尖った先端が下方の切り取り線７１側となる向きに形成されている。また、第２の固定領域Ｓ３の面内には、略Ｕ字状の切れ線７５が形成されている。なお、この切れ線７５領域は打ち抜いてもよい。
【００３１】
前記不織布Ｓは、図４及び図５に示されるように、多数枚を積層した状態で、中央領域Ｓ１がベース１２の上面部に位置するように配置され、不織布Ｓの両端側、すなわち、切り取り線７０，７１よりも外側の第１及び第２の固定領域Ｓ２，Ｓ３を折り曲げてベース１２の裏面側に巻き込まれるようになっている。この際、第２の固定領域Ｓ３の面内に形成された切れ線７５領域にベース１２の脚筒５６を挿入して一端側を先に固定しておき、次いで、第１の固定領域Ｓ２をベース１２の裏面側に巻き込むようにすることで、不織布Ｓを弛みなくベース１２上に保持させることができる。この保持が完了した状態では、前記切り取り線７０，７１は、図１及び図５に示されるように、ベース１２の上面部５１及び下面部５２の外側に位置するように設けられている。
【００３２】
前記第１及び第２の固定領域Ｓ２、Ｓ３をベース１２の裏面側に巻き込むようにセットした状態で、前記脚筒５６には、図４に示されるように、保持手段としての板ばね部材８０が装着される。この板ばね部材８０は、略へ字状に屈曲した樹脂プレートにより構成されており、その中心部に脚筒５６が挿入可能となる穴８０Ａを備えている。この板ばね部材８０は、穴８０Ａに脚筒５６を挿入した状態で、図４中上下両端がベース１２の上面部５１及び下面部５２の各内面側に食い込むようになり、これにより、ベース１２に保持された不織布Ｓの弛みが防止される。
【００３３】
次に前記実施形態における紙葉片保持具１０と不織布Ｓの使用方法について説明する。
【００３４】
ベース１２に不織布Ｓをセットするときは、当該ベース１２を容器本体１５から取り出しておき、前述したように、不織布Ｓの第１及び第２の領域Ｓ２，Ｓ３をベース１２の裏面側に位置させて板ばね部材８０を脚筒５６に装着して押さえ込む。これにより、不織布Ｓは、一定の張力が付与された状態で、その中央領域Ｓ１がベース１２の支持面部５０上に位置することとなり、前記張力により、捲り取り促進部を構成する切り込み７３の内側部分を若干浮き上がらせる（図１及び図５参照）。
【００３５】
次いで、前記ベース１２を容器本体１５内に装着する。この装着は、指掛け部５８，５８を指先で摘んだまま脚筒５６を保持筒２０Ｂに挿入し、その後指掛け部５８，５８から指先を離すと、ベース１２におけるフック片６０の爪部６０Ａが容器本体１５の側壁２６，２６の内面側に「カチッ」と弾発的に嵌り込み、これによって、ベース１２が脱落不能な状態で容器本体１５内に収容される。
【００３６】
不織布Ｓを用いて図示しない携帯電話のディスプレイ面を拭き取るときは、最上位に表出している不織布Ｓをディスプレイ面に面接触させ、容器本体１５の底壁２０外面側に形成された凹状部２０Ａに指先を当てがい、当該指先で押圧力を付与しながらディスプレイ面に沿って移動させることで拭き取りを行うことができる。
【００３７】
以上の拭き取りを反復継続的に行うことで、最上位の不織布Ｓが次第に汚損して拭き取り効果が発揮できなくなった場合には、捲り取り促進部として作用する前記切り込み７３の内側部分を指先で摘む。そして、当該内側部分を摘んだ状態で、捲り取ろうとすると、その力が直近の切り取り線７０に及ぶこととなり、当該切り取り線７０位置にて切り取られる。そして、更に捲り取るように不織布Ｓをベース１２から離れる方向に捲ると、切取線７１にその力が及ぶようになり、切り取り線７０，７１の外側となる第１及び第２の固定領域Ｓ２，Ｓ３をベース１２側に残した状態で、中央領域Ｓ１が完全に捲り取られることとなり、下位の不織布Ｓにおける中央領域Ｓ１を新たに表出させることとなる。そして、以後、新たに表出した不織布Ｓの中央領域Ｓ１にてディスプレイ面を拭き取ることが可能となる。
【００３８】
なお、不織布Ｓを使用しない場合には、前記蓋体１６を閉塞位置としてベース１２及び付箋紙Ｓをカバーしておけばよい。
【００３９】
従って、このような実施形態によれば、不織布Ｓの使用効果が維持できる間は、同一の不織布Ｓを利用することができ、使用効果が薄れる程に汚損が進んだときに、一枚ずつ捲り取って新たな不織布Ｓを表出させることができる、という効果を得る。
【００４０】
本発明を実施するための最良の構成、方法などは、以上の記載で開示されているが、本発明は、これに限定されるものではない。
すなわち、本発明は、主に特定の実施の形態に関して特に図示し、且つ、説明されているが、本発明の技術的思想及び目的の範囲から逸脱することなく、以上に述べた実施の形態に対し、形状、位置、数量その他の詳細な構成において、当業者が様々な変形を加えることができるものである。
従って、上記に開示した形状、位置、数量などを限定した記載は、本発明の理解を容易にするために例示的に記載したものであり、本発明を限定するものではないから、それらの形状などの限定の一部若しくは全部の限定を外した部材の名称での記載は、本発明に含まれるものである。
【００４１】
例えば、不織布Ｓは、図１２ないし図１６に示された種々のタイプを用いることができる。すなわち、図１２に示された不織布Ｓのように、切り込み７３の向きを図１１に示された切り込み７３の向きと反対側としてもよい。また、図１３に示されるように、幅方向中央部に、切り離し可能なミシン目状の折り曲げ部８５を設けて二枚厚に折り曲げ可能とし、表裏各面に位置する不織布Ｓの切り込み７３が重なり合うことなくずれた位置となるように切り込み７３を形成したものでもよい。また、この変形例では、切り込み７３が略へ字状に設けられるとともに、その両端側が切り取り線７０に向かって屈曲する延長部７３Ａとして形成され、これにより、捲り取る際の力が切り取り線７０に早く及ぶようになっている。
【００４２】
更に、図１４に示されるように、切り込みを設けることに代えて、不織布Ｓの中央領域Ｓ１の一方の側縁に捲り取り促進部としての段部９０を設けておき、当該段部９０の形成縁を摘んで一枚ずつ捲り取りできるようにしてもよい。
【００４３】
また、図１５に示されるように、中央領域Ｓ１の面内に幅方向に延びる複数のミシン目９４，９４を形成するとともに、中央領域Ｓ１の一方の側端縁に突出部９５を設けて捲り取り促進部とすることもできる。この例では、突出部９５を摘んで捲り取ると、ミシン目９４，９４間の不織布部分が先ず捲り取られ、次いで、中央領域Ｓ１の上下残余部分が捲り取られることとなる。
【００４４】
更に、図１６に示される不織布Ｓも採用することができる。この不織布Ｓは、図１３に示したタイプと図１５に示したタイプとを組み合わせたものであり、同図中右側に位置する不織布Ｓが上面側となるように二枚厚に折り曲げておき、中央領域の一方の側縁に形成された凹部９７の形成縁を摘んで捲り取った後に、その上下両側の残余部分を捲り取ることで、下面側に折り曲げられて位置する不織布Ｓ（図中左側の不織布）が、新たな凹部９７を表出する状態で最上位に位置することとなる。
【００４５】
このように、本発明に係る不織布Ｓは、一枚ずつ捲り取ることができるものであれば、その形状、構成は種々のものが採用可能となる。
【００４６】
なお、前記実施形態では、紙葉片として不織布Ｓを用いた場合を図示、説明したが、本発明は、紙であってもよく、また、油取り紙等も適用することができる。
【００４７】
更に、前記実施形態では、紙葉片保持具１０が容器１１とベース１２とにより構成された場合を図示説明したが、本発明は、容器１１を用いることなくベース１２のみによって構成することもできる。但し、容器１１を含む構成とすれば、不織布Ｓを使用しない場合の汚損防止を図ることができる。
【００４８】
また、前記不織布Ｓは、両端側がベース１２の裏面側に巻き込まれる構成としたが、本発明はこれに限定されるものではなく、ベース１２の支持面部５０上に平坦な状態で不織布Ｓを積層し、その両端を適宜クランプするようにして固定するものであってもよい。
【図面の簡単な説明】
【００４９】
【図１】本実施形態に係る紙葉片保持具の使用状態を示す正面図。
【図２】図１の左側面図。
【図３】紙葉片保持具の容器本体を蓋体で閉じた状態を示す背面図。
【図４】図１のＡ−Ａ線断面図。
【図５】（Ａ）及び（Ｂ）は、ベースに不織布を支持した状態をそれぞれ異なる向きから見た概略斜視図。
【図６】前記ベースの正面図。
【図７】図６のＢ−Ｂ線断面図。
【図８】図６の左側面図。
【図９】前記ベースの背面図。
【図１０】図６のＣ−Ｃ線断面図。
【図１１】前記実施形態に係る不織布の平面図。
【図１２】前記不織布の変形例を示す正面図。
【図１３】前記不織布の他の変形例を示す正面図。
【図１４】前記不織布の更に異なる変形例を示す正面図。
【図１５】前記不織布の変形例を示す正面図。
【図１６】前記不織布の他の変形例を示す正面図。
【符号の説明】
【００５０】
１０  紙葉片保持具
１１  容器
１２  ベース
１５  容器本体
１６  蓋体
７０，７１  切り取り線
７３  切り込み（捲り取り促進部）
８０  板ばね部材（保持手段）
９０  段部（捲り取り促進部）
９４  ミシン目（捲り取り促進部）
９５  突出部（捲り取り促進部）
９７  凹部（捲り取り促進部）
Ｓ  不織布（紙葉片）
【図１】
2006095124.tif 000003
【図２】
2006095124.tif 000004
【図３】
2006095124.tif 000005
【図４】
2006095124.tif 000006
【図５】
2006095124.tif 000007
【図６】
2006095124.tif 000008
【図７】
2006095124.tif 000009
【図８】
2006095124.tif 000010
【図９】
2006095124.tif 000011
【図１０】
2006095124.tif 000012
【図１１】
2006095124.tif 000013
【図１２】
2006095124.tif 000014
【図１３】
2006095124.tif 000015
【図１４】
2006095124.tif 000016
【図１５】
2006095124.tif 000017
【図１６】
2006095124.tif 000018